(57)【要約】【課題】  複数の通信システムと通信可能な無線通信装置において、一つの通信システムで通信中のとき、他の通信システムの無線通信回路からの干渉を防ぎ、また消費電流を低減する。【解決手段】  複数の通信システムと接続するための複数の無線通信回路を備えた無線通信装置において、一つの通信システムと通信状態にあるとき、他の通信システムと接続するための無線通信回路を電源切断状態もしくは待機状態とする制御手段を備えた。【選択図】  図１
2006135531.tif 000002
【特許請求の範囲】
【請求項１】
複数の無線通信システムと接続するための複数の無線通信回路を備えた無線通信装置において、
前記複数の無線通信システムの一の無線通信システムに対応する無線通信回路の状態を検出する状態検出部と、
前記状態検出部の入力により前記一の無線通信システムに対応する無線通信回路以外の他の無線通信回路を電源切断状態とする制御手段と
を備えたことを特徴とする無線通信装置。
【請求項２】
複数の無線通信システムと接続するための複数の無線通信回路を備えた無線通信装置において、
前記複数の無線通信システムの一の無線通信システムに対応する無線通信回路の状態を検出する状態検出部と、
前記状態検出部の入力により前記一の無線通信システムに対応する無線通信回路以外の他の無線通信回路を待機状態とする制御手段と
を備えたことを特徴とする無線通信装置。
【請求項３】
複数の無線通信システムと接続するための複数の無線通信回路を備えた無線通信装置において、
前記複数の無線通信システムの一の無線通信システムに対応する無線通信回路の状態を検出する状態検出部と、
前記状態検出部の入力により前記一の無線通信システムに対応する無線通信回路以外の他の無線通信回路を電源切断状態もしくは待機状態とする制御手段
を備えたことを特徴とする無線通信装置。
【請求項４】
前記状態検出回路は前記一の無線通信システムに対応する無線通信回路の通信中を検出することを特徴とする請求項１から３のいずれか１項に記載の無線通信装置。
【請求項５】
前記状態検出回路は前記一の無線通信システムに対応する無線通信回路の着信動作を検出することを特徴とする請求項１から３のいずれか１項に記載の無線通信装置。
【請求項６】
前記状態検出回路は前記一の無線通信システムに対応する無線通信回路の発呼動作を検出することを特徴とする請求項１から３のいずれか１項に記載の無線通信装置。
【請求項７】
外部操作部により優先情報記憶部に記憶させた情報に従い、前記複数の無線通信システムに対応する無線通信回路のうち、前記状態検出部により検出する無線通信回路を選択することを特徴とする請求項１から３のいずれか１項に記載の無線通信装置。
【請求項８】
外部操作部により選択処理情報記憶部に記憶させた情報に従い、前記状態検出部の入力により前記一の無線通信システムに対応する無線通信回路以外の他の無線通信回路を電源切断状態もしくは待機状態のどちらかにすることを特徴とする請求項３に記載の無線通信装置。
【請求項９】
無線通信装置と、
該無線通信装置に接続されたコンピュータとからなり、
前記無線通信装置は、複数の無線通信システムと接続するための複数の無線通信回路と、
該複数の無線通信回路の通信状態を前記コンピュータに送信する状態送信手段と、
前記コンピュータからのコマンドを受信し、該コマンドにより前記複数の無線通信回路を選択的に電源切断状態もしくは待機状態とする制御手段とを備え、
前記コンピュータは、前記状態送信手段から送信される情報により前記複数の無線通信回路のうちどの無線通信回路が通信状態にあるかを判断する状態検出手段と、
該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたこと
を特徴とする無線通信装置の制御装置。
【請求項１０】
無線通信装置と、
該無線通信装置に接続されたコンピュータとからなり、
前記無線通信装置は、複数の無線通信システムと接続するための複数の無線通信回路と、
前記複数の無線通信回路のうち、１の無線通信回路において着信したとき、着信情報を前記外部装置に送信する状態送信手段を備えた無線通信装置と、
前記コンピュータからのコマンドを受信し、該コマンドにより前記複数の無線通信回路を選択的に電源切断状態もしくは待機状態とする制御手段とを備え、
前記コンピュータは、前記状態送信手段から送信される情報により前記複数の無線通信回路のうちどの無線通信回路が通信状態にあるかを判断する状態検出手段と、
該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたこと
を特徴とする無線通信装置の制御装置。
【請求項１１】
無線通信装置と、
該無線通信装置に接続されたコンピュータとからなり、
前記無線通信装置は、複数の無線通信システムと接続するための複数の無線通信回路と、
前記複数の無線通信回路のうち、１の無線通信回路が発呼したとき、発呼情報を前記外部装置に送信する状態送信手段を備えた無線通信装置と、
前記コンピュータからのコマンドを受信し、該コマンドにより前記複数の無線通信回路を選択的に電源切断状態もしくは待機状態とする制御手段とを備え、
前記コンピュータは、前記状態送信手段から送信される情報により前記複数の無線通信回路のうちどの無線通信回路が通信状態にあるかを判断する状態検出手段と、
該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたこと
を特徴とする無線通信装置の制御装置。
【請求項１２】
複数のシステムと接続するための複数の無線通信回路を備えた無線通信装置における制御方法であって、
前記複数のシステムの一のシステムと通信状態にあることを検出するステップと、
該一のシステムと通信状態にあることを検出したとき、前記複数のシステムの他のシステムと接続するための前記無線通信回路を電源切断状態または待機状態とするステップ
とを備えたことを特徴とする無線通信装置の制御方法。
【発明の詳細な説明】
【技術分野】
【０００１】
本発明は無線通信装置に関し、特に周波数帯や通信方式の異なる複数のシステムと接続可能な無線通信装置に関する。
【背景技術】
【０００２】
従来では、複数の通信システムを送受信できる無線通信装置において、各通信システムの通信状態を検出する手段を設け、最も通信状態の良好な通信システムを選択するように構成した無線通信装置が開示されている（例えば特許文献１）。
【０００３】
また、複数の無線通信部を備えた無線情報処理装置において、接続状態以外の無線通信部を停止状態または待機状態とするように構成した無線情報処理装置は開示されている（例えば特許文献２）。
【特許文献１】特開２００３−３３２９７３号公報
【特許文献２】特開２００３−１６９０６０号公報
【発明の開示】
【発明が解決しようとする課題】
【０００４】
一方、複数の通信システムと接続可能な無線通信装置において、一つのシステムと通信中である場合は他のシステムからの干渉を低減させ、同時に消費電流も低減させたいという要求があった。
【０００５】
しかしながら、特許文献１による無線通信装置は、システムの選択に関する技術が開示されているにすぎず、システム間での干渉の低減や消費電流の低減という要求に沿ったものではない。
【０００６】
また、特許文献２による無線情報処理装置は、同一の無線ＬＡＮシステムにおける無線装置を対象としたものであり、異なる複数の通信システムに対応するものではない。
【０００７】
本願発明は、従来の装置の有する上記課題を解決するためになされたものであり、その目的は複数の通信システムと接続するための無線通信回路を備えた無線通信装置において、一つの通信システムにおいて通信中の場合は、他の通信システムのための無線通信回路を待機状態または電源切断状態とすることによって、それら他の通信システムからの干渉を低減させ、かつ消費電流を低減させることのできる無線通信装置を提供することにある。
【課題を解決するための手段】
【０００８】
上記目的のために、本発明による無線通信装置は、複数の無線通信システムと接続するための複数の無線通信回路を備えた無線通信装置において、前記複数の無線通信システムの一の無線通信システムに対応する無線通信回路の状態を検出する状態検出部と、前記状態検出部の入力により前記一の無線通信システムに対応する無線通信回路以外の他の無線通信回路を電源切断状態とする制御手段とを備えたことを特徴とする。
また、複数の無線通信システムと接続するための複数の無線通信回路を備えた無線通信装置において、前記複数の無線通信システムの一の無線通信システムに対応する無線通信回路の状態を検出する状態検出部と、前記状態検出部の入力により前記一の無線通信システムに対応する無線通信回路以外の他の無線通信回路を待機状態とする制御手段とを備えたことを特徴とする。
【０００９】
また、複数の無線通信システムと接続するための複数の無線通信回路を備えた無線通信装置において、  前記複数の無線通信システムの一の無線通信システムに対応する無線通信回路の状態を検出する状態検出部と、前記状態検出部の入力により前記一の無線通信システムに対応する無線通信回路以外の他の無線通信回路を電源切断状態もしくは待機状態とする制御手段を備えたことを特徴とする。
【００１０】
また、無線通信装置と、該無線通信装置に接続されたコンピュータとからなり、前記無線通信装置は、複数の無線通信システムと接続するための複数の無線通信回路と、該複数の無線通信回路の通信状態を前記コンピュータに送信する状態送信手段と、前記コンピュータからのコマンドを受信し、該コマンドにより前記複数の無線通信回路を選択的に電源切断状態もしくは待機状態とする制御手段とを備え、前記コンピュータは、前記状態送信手段から送信される情報により前記複数の無線通信回路のうちどの無線通信回路が通信状態にあるかを判断する状態検出手段と、該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたことを特徴とする。    
【００１１】
また、無線通信装置と、該無線通信装置に接続されたコンピュータとからなり、前記無線通信装置は、複数の無線通信システムと接続するための複数の無線通信回路と、前記複数の無線通信回路のうち、１の無線通信回路において着信したとき、着信情報を前記外部装置に送信する状態送信手段を備えた無線通信装置と、前記コンピュータからのコマンドを受信し、該コマンドにより前記複数の無線通信回路を選択的に電源切断状態もしくは待機状態とする制御手段とを備え、前記コンピュータは、前記状態送信手段から送信される情報により前記複数の無線通信回路のうちどの無線通信回路が通信状態にあるかを判断する状態検出手段と、該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたことを特徴とする。
【００１２】
また、無線通信装置と、該無線通信装置に接続されたコンピュータとからなり、前記無線通信装置は、複数の無線通信システムと接続するための複数の無線通信回路と、前記複数の無線通信回路のうち、１の無線通信回路が発呼したとき、発呼情報を前記外部装置に送信する状態送信手段を備えた無線通信装置と、前記コンピュータからのコマンドを受信し、該コマンドにより前記複数の無線通信回路を選択的に電源切断状態もしくは待機状態とする制御手段とを備え、前記コンピュータは、前記状態送信手段から送信される情報により前記複数の無線通信回路のうちどの無線通信回路が通信状態にあるかを判断する状態検出手段と、該状態入力手段によって前記複数のシステムの一のシステムと無線通信状態にあると検出したとき、前記複数のシステムの他のシステムと接続するための前記無線通信回路を電源切断状態もしくは待機状態とする前記コマンドを前記無線通信装置に対して送信する制御支持手段とを備えたことを特徴とする。
【発明の効果】
【００１３】
以上説明したように、本発明による通信装置によれば、一つの通信システムにおいて通信中の場合は、他の通信システムのための無線通信回路を待機状態または電源切断状態とするので、それら他の通信システムからの干渉を低減させ、かつ消費電流を低減させることができる無線通信装置を提供することができる。
【００１４】
一つの通信システムにおいて着信したときに他の通信システムの無線通信回路を待機状態または電源切断状態とする構成、または一つの通信システムにおいて着信または発呼するときに他の通信システムの無線通信回路を待機状態または電源切断状態とする構成では、これらの動作が自動的に行われるため待機状態または電源切断状態とする特別な操作は不要で、使い勝手のよい無線通信装置を提供することができる。
【００１５】
また本発明による通信装置の制御装置、制御方法においても上記通信装置同等の効果を有する。
【発明を実施するための最良の形態】
【００１６】
図１は本発明による無線通信装置の制御装置の第１の実施例のブロック図である。この実施例は無線通信装置１と外部装置としてのコンピュータ５とを接続したいわゆるコンピュータシステムとして実施したものである。
【００１７】
図１において、無線通信装置１はＰＨＳ（登録商標：以下同様のため記載省略）データ通信部１０と無線ＬＡＮデータ通信部２０とを有し、ＰＨＳシステムと無線ＬＡＮシステムの両通信システムにおいて通信する機能を有している。
【００１８】
ＰＨＳデータ通信部１０はＰＨＳ無線部１１とＰＨＳベースバンド部１２とによって構成されている。ＰＨＳベースバンド部１２はＣＰＵ１３とＲＯＭ／ＲＡＭ１４を内蔵し、ＲＯＭ／ＲＡＭ１４に記憶されたプログラムをＣＰＵ１３が実行することによって、ＰＨＳ無線部１１から受信した電波を復調して受信データを再生するとともに、送信データを変調してＰＨＳ無線部１１から電波を送信させる。なお、ＰＨＳベースバンド部１２のＣＰＵ１３は後で説明するように、この無線通信装置１全体の制御も行うよう構成される。
【００１９】
無線ＬＡＮデータ通信部２０は無線ＬＡＮ無線部２１と無線ＬＡＮベースバンド部２２とによって構成されている。無線ＬＡＮベースバンド部２２はＣＰＵ２３とＲＯＭ／ＲＡＭ２４を内蔵し、ＲＯＭ／ＲＡＭ２４に記憶されたプログラムをＣＰＵ２３が実行することによって無線ＬＡＮ無線部２１から受信した電波を復調して受信データを再生するとともに、送信データを変調して無線ＬＡＮ無線部２１から電波を送信させる。
【００２０】
ＰＨＳベースバンド部１２及び無線ＬＡＮベースバンド部２２はともにＰＣカードインタフェース部３２に接続され、さらにＰＣカードインタフェース部３２はコネクタ３３に接続されている。ＰＣカードのインタフェースは形状、電気的特性等が規格化されており、本実施例による無線通信装置１もこの規格に従ったカード形状の筐体に収められた装置となっている。
【００２１】
電源制御部３１はＰＨＳベースバンド部１２のＣＰＵ１３によって制御される。電源制御部３１は無線ＬＡＮデータ通信部２０にも接続され、前記ＣＰＵ１３からの制御により無線ＬＡＮデータ通信部２０の電源制御を行う。
【００２２】
無線通信装置１の制御及び状態の問い合わせは、前記ＰＣカードインタフェース部３２とコネクタ３３を介して接続される外部機器であるコンピュータ５から送信される制御コマンドによって行われる。この制御コマンドはＡＴコマンドとして一部の機能は標準化され、装置固有の機能については拡張されて実装されている。
【００２３】
ＰＨＳデータ通信部１０が通信状態であるか否かは、コンピュータ５からＡＴコマンドによって問い合わせることによってコンピュータ５側で知ることができる。コンピュータ５から送信された状態問い合わせコマンドは、コネクタ３３、ＰＣカードインタフェース部３２を介してＰＨＳベースバンド部１２のＣＰＵ１３に入力され解釈される。ＣＰＵ１３は本来の機能としてＰＨＳデータ通信部１０も制御しているため、現在ＰＨＳデータ通信部１０がどのような状態にあるのかを把握している。その状態を応答としてコンピュータ５に送信する。
【００２４】
なお、無線ＬＡＮデータ通信部２０の通信状態及び電源切断状態も、ＰＨＳベースバンド部１２のＣＰＵ１３が無線ＬＡＮベースバンド部２２に問い合わせることによって把握し、問い合わせコマンドの受信に応じて応答を返すようにもなっている。
【００２５】
また電源制御部３１を制御するためのコマンドも実装されており、ＰＨＳベースバンド部１２のＣＰＵ１３はコンピュータ５から電源切断コマンドを受信すると、電源制御部３１を制御することによって無線ＬＡＮ無線部２１と無線ＬＡＮベースバンド部２２への電源供給を切断し、電源供給コマンドを受信すると電源供給を開始する。
【００２６】
コンピュータ５のコネクタ５１はコンピュータ５のスロットに設けられており、このスロットにカード形状の無線通信装置１が挿入されてコネクタ３３と接続する。ＰＣカードインターフェース部５２はデータバス５３を介してＣＰＵ５４、ＲＯＭ／ＲＡＭ５５に接続される。データバス５３には表示部５６が接続され、必要に応じて使用者が無線通信装置１の状態を確認するための画面を表示する。また、データバス５３にはキーボードやマウスなどの外部操作部５７が接続される。
【００２７】
コンピュータ５のＲＯＭ／ＲＡＭ５５に記憶され、ＣＰＵ５４により実行される制御プログラムを図２に模式的に表した。
【００２８】
コンピュータ５には状態入力部１００とコマンド送信部１０１とが設けられている。これらの機能は実際にはアプリケーションソフトウエアの一部の機能として実装されている。コマンド送信部１０１は、前記問い合わせコマンドや電源制御コマンドなどのＡＴコマンドをＰＣカードインタフェース部５２、コネクタ５１を介して無線通信装置１に送信する。
【００２９】
状態入力部１００はコマンド送信部１０１を介して問い合わせコマンドを無線通信装置１に送信してＰＨＳデータ通信部１０の状態を問い合わせる。そしてその応答を受信し、ＰＨＳデータ通信部１０の状態を認識する。
【００３０】
状態入力部１００とコマンド送信部１０１はともにＰＣカードインタフェース部５３に接続される。
【００３１】
無線通信装置１には制御部４０と状態送信部４１が設けられる。制御部４０はコンピュータ５のコマンド送信部１０１からのコマンドを受信し、ＰＨＳデータ通信部１０および無線ＬＡＮデータ通信部２０の状態を確認し、状態送信部４１によりコンピュータ５に送信する。コマンド送信部１０１は状態送信部４１からの情報に応じて制御部４０にコマンドを送信し、制御部４０は前記コマンドに従って電源制御部３１を制御する。
【００３２】
次にこのコンピュータシステムの動作について図３及び図４のフローチャートを参照しながら説明する。図３はコンピュータ５側の制御プログラムのフローチャートである。制御プログラムはステップ１においてＰＨＳデータ通信部１０の接続状態を問い合わせるための問い合わせコマンドを送信する。ステップ２ではその問い合わせコマンドに対する応答を受信する。ステップ３ではその応答に基づいてＰＨＳデータ通信部１０が通信中であるか否かを判定し、通信中であればステップ４で無線ＬＡＮデータ通信部２０の電源を切断するための電源切断コマンドを送信し、以後ステップ１に戻ってこれらの処理を繰り返す。ステップ３において通信中ではないと判定した場合、ステップ５で無線ＬＡＮデータ通信部２０の電源が切断されているか否かを判定し、電源が切断されていない、即ち電源供給中であれば、なにもしないでステップ１に戻り繰り返す。一方、ステップ５で電源切断中であると判断した場合は、ステップ６で電源供給コマンドを送信する。
【００３３】
図４は無線通信装置１のＰＨＳベースバンド部１２のＣＰＵ１３の制御プログラムのフローチャートである。制御プログラムはステップ１１においてコンピュータ５からのコマンドを受信する。ステップ１２では受信したコマンドが問い合わせコマンドであるか否かを判定し、問い合わせコマンドであると判定した場合はステップ１３でＰＨＳデータ通信部１０が通信中であるか否かの情報を得て、ステップ１４でそれを応答としてコンピュータ５に送信し、以後ステップ１１に戻ってこれらの処理を繰り返す。
【００３４】
ステップ１２において問い合わせコマンドではないと判定した場合は、ステップ１５で受信したコマンドが電源切断コマンドであるか否かを判定し、電源切断コマンドであると判定した場合はステップ１６で電源制御部３１に電源切断を指示し、以後ステップ１１に戻ってこれらの処理を繰り返す。ステップ１５で電源切断コマンドではないと判定した場合は、ステップ１７で電源供給コマンドであるか否かを判定し、電源供給コマンドであると判定した場合はステップ１８で電源制御部３１に電源供給を指示し、以後ステップ１１に戻ってこれらの処理を繰り返す。ステップ１７で電源供給コマンドでないと判定した場合は、なにもしないでステップ１１に戻り繰り返すか、他のコマンドが設けられている場合には、それらのコマンド処理を行う。
【００３５】
以上の処理によって、ＰＨＳデータ通信部１０が通信状態であれば、無線ＬＡＮデータ通信部２０の電源が切断される。このため無線ＬＡＮデータ通信部２０からＰＨＳデータ通信部１０に対する電波の干渉はなくなり、消費電流も低減されることになる。
【００３６】
本実施例は、通信中ではない他のシステムと接続する無線通信回路の電源を切断する構成を採用しているが、電源を切断するまでもなく、無線通信回路を待機状態とするように構成してもよい。ここで待機状態とは、電源は投入されているが受信のみの状態、間欠的に受信のみをしている状態など、送信をしていない状態を言う。電波の干渉は両方の無線通信回路から送信される場合に最も強く発生し、また送信状態が最も消費電流が大きくなる状態であるので、待機状態にすることによっても本発明の目的を達成することができる。
【００３７】
上記の構成に基づく第２の実施例を図５に示す。図１と重複する部分については説明を省略する。図５において待機状態制御部４５は、ＰＨＳベースバンド部１２のＣＰＵ１３によって制御される。待機状態制御部４５は無線ＬＡＮデータ通信部２０にも接続され、前記ＣＰＵ１３からの制御により無線ＬＡＮデータ通信部２０を待機状態に移行させると共に、待機状態から通常状態に復帰させる。
ＰＨＳベースバンド部１２のＣＰＵ１３はコンピュータ５から待機状態移行コマンドを受信すると、待機状態制御部４５を制御することによって無線ＬＡＮデータ通信部２０を通常状態から待機状態に移行させる。また、通常状態移行コマンドを受信すると、無線ＬＡＮデータ通信部２０を待機状態から通常状態に移行させる。
【００３８】
次に第２の実施例のコンピュータシステムの動作について図６及び図７のフローチャートを参照しながら説明する。図６はコンピュータ５側の制御プログラムのフローチャートである。制御プログラムはステップ２１においてＰＨＳデータ通信部１０の接続状態を問い合わせるための問い合わせコマンドを送信する。ステップ２２ではその問い合わせコマンドに対する応答を受信する。ステップ２３ではその応答に基づいてＰＨＳデータ通信部１０が通信中であるか否かを判定し、通信中であればステップ２４で無線ＬＡＮデータ通信部２０を待機状態にするための待機状態移行コマンドを送信し、以後ステップ２１に戻ってこれらの処理を繰り返す。ステップ２３において通信中ではないと判定した場合、ステップ２５で無線ＬＡＮデータ通信部２０が待機状態か否かを判定し、待機状態では無い、即ち通常状態であれば、なにもしないでステップ２１に戻り繰り返す。一方、ステップ２５で待機状態であると判断した場合は、ステップ２６で通常状態移行コマンドを送信する。
【００３９】
図７は無線通信装置１のＰＨＳベースバンド部１２のＣＰＵ１３の制御プログラムのフローチャートである。制御プログラムはステップ３１においてコンピュータ５からのコマンドを受信する。ステップ３２では受信したコマンドが問い合わせコマンドであるか否かを判定し、問い合わせコマンドであると判定した場合はステップ３３でＰＨＳデータ通信部１０が通信中であるか否かの情報を得て、ステップ３４でそれを応答としてコンピュータ５に送信し、以後ステップ３１に戻ってこれらの処理を繰り返す。
【００４０】
ステップ３２において問い合わせコマンドではないと判定した場合は、ステップ３５で受信したコマンドが待機状態移行コマンドであるか否かを判定し、待機状態移行コマンドであると判定した場合はステップ３６で待機状態制御部４０に待機状態移行を指示し、以後ステップ３１に戻ってこれらの処理を繰り返す。ステップ３５で待機状態移行コマンドではないと判定した場合は、ステップ３７で通常状態移行コマンドであるか否かを判定し、通常状態移行コマンドであると判定した場合はステップ３８で待機状態制御部４０に待機状態から通常状態への移行を指示し、以後ステップ３１に戻ってこれらの処理を繰り返す。ステップ３７で通常状態移行コマンドでないと判定した場合は、なにもしないでステップ３１に戻り繰り返すか、他のコマンドが設けられている場合には、それらのコマンド処理を行う。
【００４１】
以上の処理によって、ＰＨＳデータ通信部１０が通信状態であれば、無線ＬＡＮデータ通信部２０は待機状態に移行する。
【００４２】
第１、第２の実施例において無線ＬＡＮデータ通信部２０の電源を切断、もしくは待機状態に移行する際にコンピュータ５の表示部５６に警告画面を表示して使用者にそのことを知らせても良い。またその際、使用者の外部操作部５７の操作によりコンピュータ５から無線通信装置１にコマンドを送信し、無線ＬＡＮデータ通信部２０の電源を切断、もしくは待機状態に移行させる構成としても良い。
上記実施例ではＰＨＳデータ通信部１０の通信状態を判断して無線ＬＡＮデータ通信部２０の電源、もしくは通信状態を制御する構成としたが、逆に無線ＬＡＮデータ通信部２０の通信状態によりＰＨＳデータ通信部１０の電源、もしくは通信状態を制御する構成としても良い。
【００４３】
次に図８に本発明の第３の実施例を示す。図１と重複する構成についてここでは説明を省く。
【００４４】
電源制御部３１ａはＰＨＳベースバンド部１２と無線ＬＡＮベースバンド部２２に接続され、ＰＨＳベースバンド部１２のＣＰＵ１３、および無線ＬＡＮベースバンド部のＣＰＵ２３によって制御される。電源制御部３１ａは前記ＣＰＵ１３もしくはＣＰＵ２３からの制御により、ＰＨＳ無線部１１、ＰＨＳベースバンド部１２、無線ＬＡＮ無線部２１、無線ＬＡＮベースバンド部２２の電源制御を行う。
ＣＰＵ１３は本来の機能としてＰＨＳデータ通信部１０も制御しているため、現在ＰＨＳデータ通信部１０がどのような状態にあるのか、また同様にＣＰＵ２３は本来の機能として無線ＬＡＮデータ通信部２０も制御しているため、現在無線ＬＡＮデータ通信部２０がどのような状態にあるのかを夫々把握している。その状態を応答としてコンピュータ５に送信する。
【００４５】
また電源制御部３１ａを制御するためのコマンドも実装されており、ＰＨＳベースバンド部１２のＣＰＵ１３、および無線ＬＡＮベースバンド部２２のＣＰＵ２３はコンピュータ５から電源制御コマンドを受信すると、電源制御部３１ａを制御することによってＰＨＳデータ通信部１０、もしくは無線ＬＡＮデータ通信部２０への電源供給を切断する。
第３の実施例において、図１のコンピュータ５のＲＯＭ／ＲＡＭに記憶され、ＣＰＵ５４により実行される制御プログラムを図９に模式的に表した。また、図２と重複する部分については説明を省略する。
優先情報記憶部１０３には使用者による外部操作部５７の操作により、ＰＨＳ通信と無線ＬＡＮ通信のどちらの通信状態を優先して他方の電源を切断するかの情報が記憶される。この情報は図５のＲＯＭ／ＲＡＭ５５内に記憶される。
【００４６】
状態入力部１００ａはコマンド送信部１０１ａを介して問い合わせコマンドを無線通信装置１に送信してＰＨＳデータ通信部１０ａもしくは無線ＬＡＮデータ通信部２０ａの状態を問い合わせる。コマンド送信部１０１ａは優先記憶部１０３の記憶内容により、ＰＨＳデータ通信部１０ａもしくは無線ＬＡＮデータ通信部２０ａに問い合わせコマンドを送信する。状態入力部１００ａとコマンド送信部１０１ａはともにＰＣカードインタフェース部５３に接続される。
【００４７】
無線通信装置１の制御部４０ａはコンピュータ５からの問い合わせコマンドにより、ＰＨＳデータ通信部１０および無線ＬＡＮデータ通信部２０の状態を状態通信部４１ａにより送信する。また、制御部４０ａはコンピュータ５からのコマンドに従ってＰＨＳデータ通信部１０、もしくは無線ＬＡＮデータ通信部２０に対し、電源制御部３１ａにより電源の切断、供給を行う。
【００４８】
次にこのコンピュータシステムの動作について図１０のフローチャートを参照しながら説明する。図１０は第３の実施例におけるコンピュータ５側の制御プログラムのフローチャートである。
先ず、制御プログラムはステップ４１で優先情報記憶部１０３に記憶されている優先情報を確認する。
【００４９】
次に確認した情報に基づきステップ４２でＰＨＳ通信が優先の場合はＰＨＳベースバンド部１２のＣＰＵ１３に、無線ＬＡＮ通信が優先の場合は無線ＬＡＮベースバンド部２２のＣＰＵ２４の、どちらに問合せコマンドを送信するかを判断する。ＰＨＳ通信が優先であると判断した場合、ステップ４３においてＰＨＳデータ通信部１０の接続状態を問い合わせるための問い合わせコマンドをＣＰＵ１３に送信する。ステップ４４ではその問い合わせコマンドに対するＣＰＵ１３からの応答を受信する。ステップ４５ではその応答に基づいてＰＨＳが通信中であるか否かを判定し、通信中であればステップ４６で無線ＬＡＮデータ通信部２０の電源を切断するための無線ＬＡＮ電源切断コマンドを送信し、以後ステップ２１に戻ってこれらの処理を繰り返す。
【００５０】
ステップ４５において通信中ではないと判定した場合は、ステップ４７で無線ＬＡＮベースバンド部２２のＣＰＵ２３に問合せコマンドを送信する。ステップ４８ではその問い合わせコマンドに対するＣＰＵ２３からの応答を受信する。ステップ４９ではその応答に基づいて無線ＬＡＮデータ通信部２０が待機状態であるか否かを判定し、待機状態であればステップ５０で無線ＬＡＮデータ通信部２０に電源を供給するための無線ＬＡＮ電源供給コマンドを送信し、以後ステップ４１に戻ってこれらの処理を繰り返す。ステップ４９で無線ＬＡＮデータ通信部２０が通常状態であると判定されれば、同様にステップ４１に戻ってこれらの処理を繰り返す。
【００５１】
一方、ステップ４２で無線ＬＡＮ通信が優先であると判断した場合、ステップ５１において無線ＬＡＮデータ通信部２０の接続状態を問い合わせるための問い合わせコマンドをＣＰＵ２３に送信する。ステップ５２ではその問い合わせコマンドに対するＣＰＵ２３からの応答を受信する。ステップ５３ではその応答に基づいて無線ＬＡＮデータ通信部２０が通信中であるか否かを判定し、通信中であればステップ５４でＰＨＳデータ通信部１０の電源を切断するためのＰＨＳ電源切断コマンドを送信し、以後ステップ４１に戻ってこれらの処理を繰り返す。
【００５２】
ステップ５３において通信中ではないと判定した場合は、ステップ５５でＰＨＳベースバンド部１２のＣＰＵ１３に問合せコマンドを送信する。ステップ５６ではその問い合わせコマンドに対するＣＰＵ１３からの応答を受信する。ステップ５７ではその応答に基づいてＰＨＳデータ通信部１０が待機状態であるか否かを判定し、待機状態であればステップ５８でＰＨＳデータ通信部２０に電源を供給するためのＰＨＳ電源供給コマンドを送信し、以後ステップ４１に戻ってこれらの処理を繰り返す。ステップ５７でＰＨＳデータ通信部１０が通常状態であると判定されれば、同様にステップ４１に戻ってこれらの処理を繰り返す。
【００５３】
ＰＨＳデータ通信部１０のＣＰＵ１３、無線ＬＡＮデータ通信部２０のＣＰＵ２３における動作は第１の実施例の図４に示されたフローチャートと同様であるので、ここでの説明は省略する。
【００５４】
上記のように構成された第３の実施例によれば、あらかじめ使用者が設定した通信システムを優先させて通信することが可能となる。
【００５５】
また、電源切断とするか待機状態とするかをあらかじめ使用者が設定することも可能である。図１１は本発明の第４の実施例を示す。図１と重複する構成についてここでは説明を省く。電源制御部３１ｂおよび待機状態制御部４５ｂはＰＨＳベースバンド部１２のＣＰＵ１３によって制御される。電源制御部３１ｂおよび待機状態制御部４０ｂは前記ＣＰＵ１３からの制御により、無線ＬＡＮデータ通信部の電源制御もしくは通信状態の制御を行う。
【００５６】
第４の実施例において、図１１のコンピュータ５のＲＯＭ／ＲＡＭに記憶され、ＣＰＵ５４により実行される制御プログラムを図１２に模式的に表した。また、図２と重複する部分については説明を省略する。
選択処理記憶部１０５には使用者による外部操作部５７の操作により、電源切断と待機状態移行のどちらの処理を行うかの情報が記憶される。この情報は図１１のＲＯＭ／ＲＡＭ５５内に記憶される。
【００５７】
状態入力部１００ｂはコマンド送信部１０１ａを介して問い合わせコマンドを無線通信装置１に送信してＰＨＳデータ通信部１０もしくは無線ＬＡＮデータ通信部２０の状態を問い合わせる。コマンド送信部１０１ｂは選択処理記憶部１０５の記憶内容により、ＰＨＳデータ通信部１０に問い合わせコマンドを送信する。状態入力部１００ｂとコマンド送信部１０１ｂはともにＰＣカードインタフェース部５３に接続される。
【００５８】
無線装置１の制御部４０ｂはコンピュータ５からの問い合わせコマンドによりＰＨＳデータ通信部１０および無線ＬＡＮデータ通信部２０の状態を状態送信部４１ｂにより送信する。また、制御部４０ｂはコンピュータ５からのコマンドに従って無線ＬＡＮ通信部２０に対して電源制御部３１ｂにより電源の切断を行うか、もしくは待機状態制御部４５ｂにより待機状態にする。
【００５９】
次にこのコンピュータシステムの動作について図１３及び図１４のフローチャートを参照しながら説明する。図１３はコンピュータ５側の制御プログラムのフローチャートである。制御プログラムはステップ６０においてＰＨＳデータ通信部１０の接続状態を問い合わせるための問い合わせコマンドを送信する。ステップ６１ではその問い合わせコマンドに対する応答を受信する。ステップ６２ではその応答に基づいてＰＨＳデータ通信部１０が通信中であるか否かを判定し、通信中であれば、ステップ６３で選択処理情報記憶部１０５から選択処理情報を確認する。ステップ６４で確認された処理が電源切断処理であった場合は、ステップ６５で無線ＬＡＮデータ通信部２０の電源を切断するための電源切断コマンドを送信し、以後ステップ６０に戻ってこれらの処理を繰り返す。ステップ６４で確認された処理が待機状態移行処理であった場合は、ステップ６６で無線ＬＡＮデータ通信部２０を待機状態に移行するための待機状態移行コマンドを送信し、以後ステップ６０に戻ってこれらの処理を繰り返す。
【００６０】
ステップ６２において通信中ではないと判定した場合、ステップ６７で無線ＬＡＮデータ通信部２０に電源が供給されているか否かを判定し、電源切断中であればステップ６８で電源供給コマンドを送信する。一方、ステップ６７で電源供給中であると判断した場合は、ステップ６９で無線ＬＡＮデータ通信部２０が待機状態であるか否かを判定する。待機状態であればステップ７０で通常状態移行コマンドを送信し、通常状態であれば以後ステップ６０に戻ってこれらの処理を繰り返す。
【００６１】
図１４は無線通信装置１のＰＨＳベースバンド部１２のＣＰＵ１３の制御プログラムのフローチャートである。制御プログラムはステップ８０においてコンピュータ５からのコマンドを受信する。ステップ８１では受信したコマンドが問い合わせコマンドであるか否かを判定し、問い合わせコマンドであると判定した場合はステップ８２でＰＨＳデータ通信部１０が通信中であるか否かの情報を得て、ステップ８３でそれを応答としてコンピュータ５に送信し、以後ステップ８０に戻ってこれらの処理を繰り返す。
【００６２】
ステップ８１において問い合わせコマンドではないと判定した場合は、ステップ８４で受信したコマンドが電源切断コマンドであるか否かを判定し、電源切断コマンドであると判定した場合はステップ８５で電源制御部３１ｂに電源切断を指示し、以後ステップ８０に戻ってこれらの処理を繰り返す。ステップ８４で電源切断コマンドではないと判定した場合は、ステップ８６で電源供給コマンドであるか否かを判定し、電源供給コマンドであると判定した場合はステップ８７で電源制御部３１ｂに、無線ＬＡＮデータ通信部２０に電源を供給するように指示し、以後ステップ８０に戻ってこれらの処理を繰り返す。ステップ８６で電源供給コマンドでないと判定した場合は、ステップ８８で待機状態移行コマンドであるか否かを判定し、待機状態移行コマンドであると判定した場合はステップ８９で待機状態制御部４５ｂに待機状態移行を指示し、以後ステップ８０に戻ってこれらの処理を繰り返す。ステップ８８で待機状態移行コマンドでないと判定した場合はステップ９０で通常状態移行コマンドであるか否かを判定し、通常状態移行コマンドであると判定した場合はステップ９１で待機状態制御部４５ｂに無線ＬＡＮデータ通信部２０を待機状態から通常状態にするよう指示する。ステップ９０で通常状態移行コマンドでないと判定した場合は、なにもしないでステップ８０に戻り繰り返すか、他のコマンドが設けられている場合には、それらのコマンド処理を行う。
【００６３】
以上の処理によって、ＰＨＳデータ通信部１０が通信状態になった場合、無線ＬＡＮデータ通信部２０の電源を切断させるか、待機状態に移行させるかを、あらかじめ使用者が選択することが可能になる。
【００６４】
なお、第４の実施例ではＰＨＳデータ通信部を優先としたが、無線ＬＡＮデータ通信部を優先としてもよく、また、第３の実施例のように使用者があらかじめ優先させる通信システムを設定できるようにしてもよい。
上記の実施例は一方の通信システムで通信中であるか否かによって他の通信システムと接続する無線通信回路を電源切断状態または待機状態にする構成であったが、常に通信システムが通信状態であるか否かを監視するのではなく、その通信システムで何かしらの通信に関するイベントが発生したことをきっかけにして他の通信システムを電源切断状態に遷移するように構成してもよい。
【００６５】
まず、一方の通信システムに着信が発生したことによって他の通信システムと接続する無線通信回路を電源切断状態に遷移するように構成した第５の実施例について説明する。ハードウエア構成は、図１に示した前記実施例と同様の構成でよく、無線通信装置１とコンピュータ５の制御プログラムを再構成すれば実施できる。図１５及び図１６はそれら制御プログラムのフローチャートである。なお着信が発生するシステムとはこの実施例ではＰＨＳである。
【００６６】
図１５はコンピュータ５の制御プログラムのフローチャートである。制御プログラムはステップ１００において無線通信装置１からの応答を受信する。ステップ１０１ではその応答が着信情報であるか否かを判定し、着信情報であると判定した場合はステップ１０２で電源切断コマンドを無線通信装置１に送信し、以後ステップ１００に戻ってこれらの処理を繰り返す。ステップ１０１で着信情報ではないと判定した場合にはステップ１０３で通信終了情報であるか否かを判定し、通信終了情報であると判定した場合はステップ１０４で電源供給コマンドを無線通信装置１に送信する。ステップ１０３で通信終了情報でないと判定した場合はなにもしないでステップ１００に戻り繰り返す。または他のコマンドが設けられている場合には、それらのコマンド処理を行う。
【００６７】
図１６は無線通信装置１の制御プログラムのフローチャートである。ＰＨＳデータ通信部１０では、着信が発生するとそれがＣＰＵ１３に通知される。制御プログラムはステップ１１０において着信したかどうかを判定する。ステップ１１０において着信したと判定した場合は、ステップ１１１において着信したという情報を応答としてコンピュータ５に送信する。ステップ１１０で着信が検出されなかった場合はステップ１１２で通信が終了したかどうかを判定する。ステップ１１２において終了したと判定した場合は、ステップ１１３において通信が終了したという情報を応答としてコンピュータ５に送信する。ステップ１１２で通信の終了が検出されなかった場合はステップ１１３の処理は行わない。
【００６８】
ステップ１１４ではコンピュータ５からのコマンドを受信する。ステップ１１４ではこのコマンドが電源切断コマンドであるか否かを判定し、電源切断コマンドであると判定した場合はステップ１１６で電源制御部３１に電源切断を指示し、以後ステップ１１０に戻ってこれらの処理を繰り返す。ステップ４４で電源切断コマンドではないと判定した場合は、ステップ１１７でこのコマンドが電源供給コマンドであるか否かを判定し、電源供給コマンドであると判定した場合はステップ１１８で電源制御部３１に電源供給を指示し、以後ステップ１１０に戻ってこれらの処理を繰り返す。ステップ１１７で電源供給コマンドではないと判定した場合は、なにもしないでステップ１１０に戻り繰り返す。または他のコマンドが設けられている場合には、それらのコマンド処理を行う。
【００６９】
なお、ステップ１１０からステップ１１１、１１３までの処理とステップ１１４からステップ１１６、１１８までの処理は独立した処理であるので、必ずしも実施例のように直列に処理する必要はない。順番は逆でもよいし、あるいは独立して動作するようにしてもよい。
【００７０】
これらの処理を時系列に示すと次のようになる。まず無線通信装置１側で着信を検出し（図１６ステップ１１０）、着信情報をコンピュータ５に送信する（図１６ステップ１１１）。コンピュータ５では無線通信装置１が送信した情報を受信し（図１５ステップ１００）、これが着信情報であるか否かを判定し（図１５ステップ１０１）、着信情報であると判定した場合は電源切断コマンドを無線通信装置１に送信する（図８ステップ１０２）。無線通信装置１ではこのコマンドを受信し（図１６ステップ１１４）、これが電源切断コマンドであるか否かを判定し（図１６ステップ１１５）、電源切断コマンドであると判定した場合は電源制御部に電源切断を指示する（図１６ステップ１１６）。
【００７１】
その後、無線通信装置１側で通信終了を検出し（図１６ステップ１１２）、着信情報をコンピュータ５に送信する（図１６ステップ１１３）。コンピュータ５では無線通信装置１が送信した情報を受信し（図１５ステップ１００）、これが通信終了情報であるか否かを判定し（図１５ステップ１０３）、通信終了情報であると判定した場合は電源供給コマンドを無線通信装置１に送信する（図１５ステップ１０４）。無線通信装置１ではこのコマンドを受信し（図１６ステップ１１４）、これが電源供給コマンドであるか否かを判定し（図１６ステップ１１７）、電源供給コマンドであると判定した場合は電源制御部に電源供給を指示する（図１６ステップ１１８）。
【００７２】
以上のようにしてＰＨＳデータ通信部に着信することをきかっけとして無線ＬＡＮデータ通信部２０の電源が切断され、通信が終了することにより電源の供給が再開される。
【００７３】
次に、一方のシステムにおいて発呼処理がされたことによって他のシステムと接続する無線通信回路を電源切断状態に遷移するように構成した第６の実施例について説明する。この実施例もハードウエア構成は、図１に示した前記実施例と同様の構成でよく、無線通信装置１とコンピュータ５の制御プログラムを再構成すれば実施できる。
【００７４】
図１７はコンピュータ５の制御プログラムは発呼処理を行うために操作者が操作するための操作画面に一例を示すものである。図１９では一つの制御ウインドウ６にＰＨＳデータ通信部１０を制御するウインドウ６１と無線ＬＡＮデータ通信部２０を制御するウインドウ６５とが領域を分けて存在し、両方のウインドウが開かれている状態を示している。両方のウインドウともほぼ同様の状態表示部と制御用ボタンを有している。
【００７５】
まず、無線ＬＡＮデータ通信部制御ウインドウ６１には電波状態表示部６２と設定ボタン６３、接続ボタン６４が設けられている。電波状態表示部６２は電波強度を棒グラフ状に示すものである。図では１００％の表示と棒グラフが右方向端部まで伸びていることから電波強度が強い状態を示したものとなっている。電波状態表示部の上には接続中であるか否かの状態表示部も設けられている。設定ボタン６３は無線ＬＡＮデータ通信部２０の各種設定を行うためのもので、これをクリックすると設定用画面が開き、各種設定項目を設定できるようになっている。また接続ボタン６４はクリックすることによって無線ＬＡＮデータ通信部２０にアクセスポイントへの接続処理を開始させるためのものである。
【００７６】
ＰＨＳデータ通信部制御ウインドウ６５もほぼ同様の機能を有する。電波状態表示部６６は電波強度を一本の傘マークと数本の縦棒で表示するものである。設定ボタン６７はＰＨＳデータ通信部１０の各種設定を行うためのもので、これをクリックすると設定用画面が開き、各種設定項目を設定できるようになっている。また接続ボタン６８はクリックすることによってＰＨＳデータ通信部１０にアクセスポイントへの接続処理を開始させるためのものである。
図１８及び図１９は無線通信装置１とコンピュータ５の制御プログラムのフローチャートである。
【００７７】
図１８はコンピュータ５側制御プログラムのフローチャートである。制御プログラムはステップ１２０において前記ＰＨＳデータ通信部制御ウインドウ６５の設定ボタン６７または接続ボタン６８の状態を入力する。ステップ１２１では接続ボタンがクリックされたか否かを判定し、接続ボタンがクリックされたと判定した場合は、まずステップ１２２で無線通信装置１に電源切断コマンドを送信し、続いてステップ１２３で接続コマンドを送信し、以後ステップ１２０に戻ってこれらの処理を繰り返す。ここで接続コマンドはＰＨＳデータ通信部１０にアクセスポイントへの接続処理を開始させるためのコマンドであり、前記ＡＴコマンドによって標準化されている。ステップ１２１で接続ボタンはクリックされていないと判定した場合は、なにもしないでステップ１２０に戻り繰り返す。または設定ボタンの処理、または他のボタンが設けられている場合にはそれらの処理を行う。
【００７８】
図１９は無線通信装置１側制御プログラムのフローチャートである。制御プログラムはステップ１２４においてコンピュータ５からのコマンドを受信する。ステップ１２５では受信したコマンドが電源切断コマンドであるか否かを判定し、電源切断コマンドであると判定した場合はステップ１２６で電源制御部３１に電源切断を指示し、以後ステップ１２４に戻ってこれらの処理を繰り返す。
【００７９】
ステップ１２５で電源切断コマンドではないと判定した場合は、ステップ１２８で受信したコマンドが接続コマンドであるか否かを判定し、接続コマンドであると判定した場合はステップ１２９でＰＨＳデータ通信部１０において接続処理を行い、以後ステップ１２４に戻ってこれらの処理を繰り返す。ステップ１２８で接続コマンドではないと判定した場合は、なにもしないでステップ１２４に戻り繰り返す。
【００８０】
これらの処理を時系列に示すと次のようになる。まずコンピュータ５は制御ウインドウ６のボタンの状態を入力し（図１８ステップ１２０）、接続ボタンがクリックされたか否かを判定する（図１８ステップ１２１）。このときＰＨＳデータ通信部制御ウインドウ６５の接続ボタン６８を操作者がクリックしていると、接続ボタンがクリックされたと判定して電源切断コマンドと（図１８ステップ１２２）接続コマンド（図１８ステップ１２３）を無線通信装置に送信する。無線通信装置１ではコンピュータ５が送信したコマンドを受信し（図１９ステップ１２４）、これが電源切断コマンドであるか否かを判定し（図１９ステップ１２５）、電源切断コマンドであると判定した場合は電源制御部に電源切断を指示する（図１９ステップ１２６）。コンピュータ１は接続コマンドも送信しているので、続いてコマンドを受信し（図１９ステップ１２４）、これが接続コマンドであるか否かを判定し（図１９ステップ１２８）、接続コマンドであると判定した場合はＰＨＳデータ通信部１０で接続処理を行う（図１９ステップ１２９）。以上のようにしてＰＨＳデータ通信部１０で発呼処理することをきっかけとして無線ＬＡＮデータ通信部２０の電源が切断される。尚、ここでは図示していないが、再度電源供給部３１に電源供給を指示する場合は、第１の実施例のようにＰＨＳ通信が行われているか否かを判定して行われていない場合に指示する場合や、第５の実施例のようにＰＨＳデータ通信の終了を検出して指示する場合のどちらでもよい。
【００８１】
以上説明した実施例は無線通信装置１とコンピュータ５とを接続したコンピュータシステムの構成であったが、無線通信装置１に以上説明した機能を全て実装することもできる。
【００８２】
通信状態にあるか否かを判定して無線ＬＡＮデータ通信部の電源を切断する構成については、ＰＨＳベースバンド部１２のＣＰＵ１３は、本来の機能としてＰＨＳデータ通信部１０の制御を行っているのであるから通信状態にあるか否かは常時判定でき、通信状態にあると判定した場合に電源制御部３１に電源を切断するように指示するように構成すればよく、ＣＰＵ１３の制御プログラムをそのように変更するだけで実現できる。
【００８３】
また、ＰＨＳデータ通信部１０で着信が発生した場合に無線ＬＡＮデータ通信部の電源を切断する構成についても、着信はＰＨＳベースバンド部１２のＣＰＵ１３が常時判定できるので、着信が発生したと判定した場合に電源制御部３１に電源を切断するように指示するように構成すればよい。これもＣＰＵ１３の制御プログラムをそのように変更するだけで実現できる。
【００８４】
また、ＰＨＳデータ通信部１０で発呼処理が行われる場合に無線ＬＡＮデータ通信部の電源を切断する構成では、発呼時にコンピュータ５からは発呼コマンドのみを送信する構成とし、無線通信装置１側では発呼コマンドを受信した場合に電源制御部３１に電源を切断するよう指示するとともに、ＰＨＳデータ通信部１０において発呼処理を行うように構成すればよい。これもＣＰＵの制御プログラムをそのように変更するだけで実現できる。
【００８５】
以上説明した実施例は、異なるシステムとしてＰＨＳデータ通信システムと無線ＬＡＮデータ通信システムとに適用したものであったが、システムはこれらに限定されるものではなく他のシステムであってもよい。携帯電話として一般的なシステムに対しても同様に実施できる。
【００８６】
上述した実施の形態の機能を実現するために、コンピュータに対し上記実施の形態の機能を実現するための制御プログラムのプログラムコードを供給し、そのコンピュータに格納されたプログラムに従って動作させることによって実施したものも、本発明の範疇に含まれる。
【００８７】
また、この場合、プログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００８８】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００８９】
なお、上記実施の形態において示した各部の形状及び構造は、何れも本発明を実施するにあたっての具体化のほんの一例を示したものに過ぎず、これらによって本発明の技術的範囲が限定的に解釈されてはならない。すなわち、本発明はその精神、又はその主要な特徴から逸脱することなく、様々な形で実施することができる。
【図面の簡単な説明】
【００９０】
【図１】本発明による無線通信装置の制御装置のブロック図である。
【図２】本発明による無線通信装置の制御装置の制御プログラムの概略ブロック図である。
【図３】本発明による無線通信装置の制御装置のコンピュータ側制御プログラムのフローチャートである。
【図４】本発明による無線通信装置の制御装置の無線通信装置側制御プログラムのフローチャートである。
【図５】本発明の第２の実施例による無線通信装置の制御装置のブロック図である。
【図６】本発明の第２の実施例による無線通信装置の制御装置の無線通信装置側制御プログラムのフローチャートである。
【図７】本発明の第２の実施例による無線通信装置の制御装置のコンピュータ側制御プログラムのフローチャートである。
【図８】本発明の第３の実施例による無線通信装置の制御装置のブロック図である
【図９】本発明の第３の実施例による無線通信装置の制御装置の制御プログラムの概略ブロック図である。
【図１０】本発明の第３の実施例による無線通信装置の制御装置のコンピュータ側制御プログラムのフローチャートである。
【図１１】本発明の第４の実施例による無線通信装置の制御装置のブロック図である。
【図１２】本発明の第４の実施例による無線通信装置の制御装置の制御プログラムの概略ブロック図である。
【図１３】本発明の第４の実施例による無線通信装置の制御装置のコンピュータ側制御プログラムのフローチャートである。
【図１４】本発明の第４の実施例による無線通信装置の制御装置の無線通信装置側制御プログラムのフローチャートである。
【図１５】本発明の第５の実施例による無線通信装置の制御装置のコンピュータ側制御プログラムのフローチャートである。
【図１６】本発明の第５の実施例による無線通信装置の制御装置の無線通信装置側制御プログラムのフローチャートである。
【図１７】本発明の第６の実施例による無線通信装置の制御装置の制御ウインドウの説明図である。
【図１８】本発明の第６の実施例による無線通信装置の制御装置のコンピュータ側制御プログラムのフローチャートである。
【図１９】本発明の第６の実施例による無線通信装置の制御装置の無線通信装置側制御プログラムのフローチャートである。
【符号の説明】
【００９１】
１    無線通信装置
５    コンピュータ
６  制御ウインドウ
１０  ＰＨＳデータ通信部
１１  ＰＨＳ無線部
１２  ＰＨＳベースバンド部
１３、２３、５４  ＣＰＵ
１４、２４、５５  ＲＯＭ／ＲＡＭ
２０  無線ＬＡＮデータ通信部
２１  無線ＬＡＮ無線部
２２  無線ＬＡＮベースバンド部
３１、３１ａ、３１ｂ  電源制御部
３２、５２  ＰＣカードインタフェース部
３３、５１  コネクタ
４０、４０ａ、４０ｂ  制御部
４１、４１ａ、４１ｂ  状態送信部
４５、４５ｂ  待機状態制御部
５２  コマンド送信部
５３  データバス
５６  表示部
５７  外部操作部
１００、１００ａ、１００ｂ  状態入力部
１０１、１０１ａ、１０１ｂ  コマンド送信部
１０３  優先情報記憶部
１０５  選択処理情報記憶部
【図１】
2006135531.tif 000003
【図２】
2006135531.tif 000004
【図３】
2006135531.tif 000005
【図４】
2006135531.tif 000006
【図５】
2006135531.tif 000007
【図６】
2006135531.tif 000008
【図７】
2006135531.tif 000009
【図８】
2006135531.tif 000010
【図９】
2006135531.tif 000011
【図１０】
2006135531.tif 000012
【図１１】
2006135531.tif 000013
【図１２】
2006135531.tif 000014
【図１３】
2006135531.tif 000015
【図１４】
2006135531.tif 000016
【図１５】
2006135531.tif 000017
【図１６】
2006135531.tif 000018
【図１７】
2006135531.tif 000019
【図１８】
2006135531.tif 000020
【図１９】
2006135531.tif 000021